(57)【要約】【課題】パンチングプレートから成る扉本体に対して、補強フレームがキャビネットの表面側から確認しにくい位置にあり、しかも扉の剛性の向上が図れるキャビネットにおける扉構造を提供すること。【解決手段】扉はパンチングプレートから成る扉本体Ｄ２と、方形枠形状の補強フレーム５とから成り、扉本体Ｄ２は扉の表面となる前面板２ｂ、２’ｂを備えると共に、その左右両端側の上下方向中間部分に前面板の左右両側から後方側に延設された外側面板１２ａ、１２ａと、該両外側面板から内方側に延設された後面板１２ｂ、１２ｂと、該両後面板からさらに後方側へと延設されたの内側面板１２ｃ、１２ｃを備え、補強フレーム５の左右フレーム５ａ、５ａを後面板後面側と内側面板外面側とにそれぞれ当接接合させる。【選択図】　図３
2004052419.tif 000002
【特許請求の範囲】
【請求項１】
キャビネット本体に蝶着された扉の開閉動作により、該キャビネット本体の前面側開口部を開閉するキャビネットにおける扉構造であって、前記扉はパンチングプレートから成る扉本体と、方形枠形状の補強フレームとから成り、前記扉本体は扉の表面となる前面板を備えると共に、その左右両端側の上下方向中間部分に該前面板の左右両側から後方側に延設された外側面板と、該両外側面板から内方側に延設された後面板と、該両後面板からさらに後方側へと延設された内側面板を備え、前記補強フレームの左右フレームを前記後面板後面側と内側面板外面側とにそれぞれ当接接合することを特徴とするキャビネットにおける扉構造。
【請求項２】
前記左右フレームと前記扉本体との当接接合は、左右フレームに螺着したビスと前記後面板後面側に設けたダルマ孔による接合である請求項１に記載のキャビネットにおける扉構造。
【請求項３】
前記前面板の上下両端側は、後方側に延設された上下の外側面板と該上下の外側面板から内方側に延設された上下の後面板とを備えている請求項１または２に記載のキャビネットにおける扉構造。
【請求項４】
前記キャビネット本体をパンチングプレートで構成した請求項１ないし３の何れかに記載のキャビネットにおける扉構造。
【発明の詳細な説明】
【０００１】
【発明の属する技術分野】
本発明は、キャビネット本体に蝶着された扉の開閉動作により、該キャビネット本体の前面側開口部を開閉するキャビネットにおける扉構造に関する。
【０００２】
【従来の技術】
近年、キャビネット本体の前面側開口部を開閉する扉として、軽量性、通気性に優れているパンチングプレートを用いたものがある。図５は従来のパンチングプレートを用いた扉の斜視図であり、扉０１は剛性を増すために上下左右端が断面コ字状に折り曲げられているパンチングプレート０２と、中央部に設けた断面ハット形状の補強フレーム０３及びキャビネット本体に蝶着するための揺動支持金具０４とで構成されている。
【０００３】
パンチングプレート０２と補強フレーム０３との接合は、補強フレーム０３の接合片０３ａ、０３ｂに扉の背面側からねじ０５等を介して螺着していた。
【０００４】
【発明が解決しようとする課題】
しかし、上述のキャビネットにおける扉構造は扉本体にパンチングプレート０２を使用しているために、補強フレーム０３がパンチ孔０２ａを介して扉本体の中央に見えてしまい、商品価値が著しく低下するだけでなく、ねじ０５先端が少しでも突出していると危険でもあった。また、補強フレーム０３自体も中央に１本あるだけであるので、扉の左右の剛性力が若干不足していた。
【０００５】
本発明はこのような状況に鑑みてなされたもので、その目的とするところは、パンチングプレートから成る扉本体に対して、補強フレームがキャビネットの表面側から確認しにくい位置にあり、しかも扉の剛性の向上が図れるキャビネットにおける扉構造を提供することにある。
【０００６】
【課題を解決するための手段】
上記目的を達成するために、本発明のキャビネットにおける扉構造は、キャビネット本体に蝶着された扉の開閉動作により、該キャビネット本体の前面側開口部を開閉するキャビネットにおける扉構造であって、前記扉はパンチングプレートから成る扉本体と、方形枠形状の補強フレームとから成り、前記扉本体は扉の表面となる前面板を備えると共に、その左右両端側の上下方向中間部分に該前面板の左右両側から後方側に延設された外側面板と、該両外側面板から内方側に延設された後面板と、該両後面板からさらに後方側へと延設されたの内側面板を備え、前記補強フレームの左右フレームを前記後面板後面側と内側面板外面側とにそれぞれ当接接合することを特徴としている。
この特徴によれば、補強フレームが方形枠形状であるので剛性の向上が図れ、しかも前面板の後面板後面側と内側面板外面側に左右フレームが当接接合しているため、キャビネットの表面側から補強フレームが視認しにくく、商品価値が著しく低下するようなこともない。
【０００７】
上記キャビネットにおける扉構造において、前記左右フレームと前記扉本体との当接接合は、左右フレームに螺着したビスと前記後面板後面側に設けたダルマ孔による接合であることが好ましい。
このようにすると、工具を使わずに扉本体を左右フレームに容易に取り付けることができる。
【０００８】
上記にキャビネットにおける扉構造おいて、前記前面板の上下両端側は後方側に延設された上下の外側面板と該上下の外側面板から内方側に延設された上下の後面板とを備えていることが好ましい。
このようにすると、扉本体の上下端においても剛性を高めることができる。
【０００９】
上記にキャビネットにおける扉構造おいて、前記キャビネット本体をパンチングプレートで構成することが好ましい。
このようにすると、キャビネット自体を軽量で通気性のあるものとすることができる。
【００１０】
【発明の実施の形態】
以下、本発明の実施例を図面に基づいて図１〜図４を参照して説明する。図１はキャビネット本体の全体斜視図、図２の（ａ）はキャビネット本体の片側の扉を示す分解斜視図、（ｂ）は補強フレームにおける左右フレームの部分断面斜視図、図３はキャビネット本体の片側の扉を裏面から視た分解斜視図であり、図４の（ａ）は片側の扉を裏面から視た部分拡大図、（ｂ）は図（ａ）のＡ−Ａ断面図、（ｃ）は図（ｂ）のＢ部拡大図である。
【００１１】
先ず、図１に示す１は縦長直方体の箱形に形成され前面側に開口部を有するキャビネット本体であって、このキャビネット本体１の開口部は、縦長方形に形成された観音開きの２枚の扉本体Ｄ１、Ｄ２から成る扉Ｄによって閉鎖されるように構成されている。
【００１２】
扉Ｄは、多数の貫通小孔が配設されたパンチングプレートから成る上下に分割された扉本体Ｄ１、Ｄ２と、図２（ａ）及び図３に示すように、上下フレーム５ｂ、５ｂ及び左右フレーム５ａ、５ａで方形枠状に形成し、左右フレーム５ａ、５ａの中間部を中間連結フレーム６で連結した補強フレーム５とから構成されている。
【００１３】
更に、扉本体Ｄ１、Ｄ２は、上下に分割された上部の前面板２ａ、２ｂと下部の前面板２′ａ、２′ｂから成り、上下の前面板２ａ、２ｂと２′ａ、２′ｂとの間には前面に取手８ａ、８ａを設けた中間区画プレート８が配置されている。
【００１４】
図３に示されているように、扉本体Ｄ２の裏面側は、その左右両端側の上下方向中間部分に前面板２ｂ、２′ｂの左右両側から後方側に延設された外側面板１２ａと、これら両外側面板１２ａから内方側に延設された後面板１２ｂと、これら両後面板１２ｂからさらに後方側へと延設された内側面板１２ｃとを備え、図４（ｂ）、（ｃ）に示すように、後面板１２ｂの後面側と内側面板１２ｃの外面側とが、補強フレーム５の左右フレーム５ａ、５ａにそれぞれ当接接合するように構成されている。
【００１５】
そして、図３に示すように、上下に分割された前面板２ｂ、２′ｂの、内側面板１２ｃに近接する後面板１２ｂには、それぞれ左右に３個のダルマ孔１４が互いに反対方向を向くように上下方向に向けて直列に配設されている。
【００１６】
一方、補強フレーム５の左右フレーム５ａ、５ａには、図２（ａ）に示すように、後面板１２ｂに当接する側面に、ダルマ孔１４に対応する間隔で左右３個のビスＢが上下に配設されており、これらのビスＢは、図２の（ｂ）に示すように、その頭部が、左右フレーム５ａ、５ａの当接面に対し、少なくとも後面板１２ｂの板厚に相当する高さに突設して取付けられている。
【００１７】
更に詳しくは、後面板１２ｂに形成されるダルマ孔１４は、図３に示すように、ビスＢの頭部が通過可能な挿通孔と、この挿通孔に連通するようにビスＢのネジ軸が通過可能な幅に形成された縦長の係止スリットとから構成されている。
【００１８】
すなわち、パンチングプレートで構成される上部の前面板２ｂに配置されるダルマ孔１４は、挿通孔の下部に係止スリットを配置し、パンチングプレートで構成される下部の前面板２′ｂに配置されるダルマ孔１４は、挿通孔の上部に係止スリットを配置する。
【００１９】
そして、上部の前面板２ｂは、上端部ないし下端部が外側面板１２ａの厚みと同一厚みとなる上下の外側面板１５と、両外側面板１５から内方側に延設された上下の後面板１６によって縁部が折曲形成されており、キャビネット本体１の開口部上方の周縁前面に対向する上方後面板１６にはマグネットＭＧないしダンパー機能を有するゴム等の材質で構成された弾性パッド１７が隣接して取付けられており、上部の前面板２ｂの下端部には下方に向く舌片４が突設形成されている。
【００２０】
更に、下部の前面板２′ｂも同様に、上端部ないし下端部が外縁部が折曲形成されており、キャビネット本体１の開口部下方の周縁前面に対向する下方後面板１６にはマグネットＭＧないしダンパー機能を有するゴム等の材質で構成された弾性パッド１７が隣接して取付けられており、上端部には上方に向く舌片４が突設形成されている。
【００２１】
次に、上記のように構成された扉Ｄの組立手順に付き説明する。
【００２２】
先ず、図４（ｂ）に示すように、上方の前面板２ａの左右３個のダルマ孔１４を構成する挿通孔に、左右フレーム５ａ、５ａに螺着した３個のビスＢ頭部を同時に挿通させた後、この前面板２ａを上方に移動させることにより、ダルマ孔１４の係止スリットにビスＢのネジ軸を挿入し、図４（ｃ）に示すように、左右フレーム５ａ、５ａに後面板１２ｂの後面側と内側面板１２ｃの外面側を当接接合させることができる。下方の前面板２′ａはビス頭部挿通後、下方に移動させることにより、上方の前面板２ａの場合と同様に左右フレーム５ａ、５ａと当接接合させることができる。
【００２３】
次に、図２に示すように、上下に離間した前面板２ａ及び２′ａの間に中間区画プレート８を差し込み、これを２個のネジＢ１を介して連結フレーム６の裏面から固定することで、前面板２ａ及び２′ａはその移動が拘束された状態で保持される。連結フレーム６に形成されたネジＢ１の頭部を挿通する挿通穴は盲部材Ｍによって隠蔽される。
【００２４】
次いで、中間区画プレート８の両端に、カバー部材１０ａ、１０ｂを取付けることで、中間区画プレート８の両端が隠蔽される。最後に、上記の扉本体Ｄ１、Ｄ２上下の両片側端部に蝶番Ｈをそれぞれ取付けることで組立が完了する。
【００２５】
従って、上記のように構成されたキャビネットにおける扉構造によれば、補強フレーム５が、左右フレーム５ａ、５ａ、上下フレーム５ｂ、５ｂからなる方形枠状に形成されるので剛性の向上が図れ、しかも前面板の後面板後面側と内側面板外面側に左右フレームが当接接合しているため、キャビネット本体１の表面側から補強フレーム５が視認しにくく、商品価値が著しく低下するようなこともない。
【００２６】
また、左右フレーム５ａ、５ａと上下の前面板２ａ、２′ａあるいは他方の扉の前面板２ｂ、２′ｂとの当接接合は、左右フレーム５ａ、５ａに螺着した複数のビスＢと後面板１２ｂに設けたダルマ孔１４による接合構造を採っているので、工具を使わずに上下の前面板２ａ、２′ａ及び２ｂ、２′ｂを左右フレーム５ａ、５ａに容易に取り付けることができ、組立作業効率を向上させることができる。
【００２７】
更に、上下の前面板２ａ、２′ａ及び２ｂ、２′ｂの上下両端側が、後方側に延設された外側面板１５と、この外側面板１５から内方側に延設された後面板１６とを備えているので、扉本体Ｄ１、Ｄ２の上下端においても剛性を高めることができる。
【００２８】
そしてまた、キャビネット本体１の扉本体Ｄ１、Ｄ２を、パンチングプレートで構成することで、キャビネット自体を軽量で通気性のあるものとすることができる。
【００２９】
尚、上記実施形態では、中間区画プレート８を挟んで前面板を上下に２分割したパンチングプレートで構成した例を示して説明したが、前面板を１枚のパンチングプレートで構成することも可能である。
【００３０】
【発明の効果】
本発明は以下の効果を奏する。
【００３１】
（ａ）請求項１項の発明によれば、補強フレームが方形枠形状であるので剛性の向上が図れ、しかも前面板の後面板後面側と内側面板外面側に左右フレームが当接接合しているため、、キャビネットの表面側から補強フレームが視認しにくく、商品価値が著しく低下するようなこともない。
【００３２】
（ｂ）請求項２項の発明によれば、工具を使わずに扉本体を左右フレームに容易に取り付けることができる。
【００３３】
（ｃ）請求項３項の発明によれば、扉本体の上下端においても剛性を高めることができる。
【００３４】
（ｄ）請求項４項の発明によれば、キャビネット自体を軽量で通気性のあるものとすることができる。
【図面の簡単な説明】
【図１】本発明の一実施形態を示すキャビネット本体の全体斜視図である。
【図２】（ａ）はキャビネット本体の片側の扉を示す分解斜視図、（ｂ）は補強フレームにおける左右フレームの部分断面斜視図である。
【図３】キャビネット本体の片側の扉を裏面から視た分解斜視図である。
【図４】（ａ）は片側の扉を裏面から視た部分拡大図、（ｂ）は図（ａ）のＡ−Ａ断面図、（ｃ）は図（ｂ）のＢ部拡大図である。
【図５】従来のパンチングプレートを用いた扉の斜視図である。
【符号の説明】
１　　　　　　　　　　　キャビネット本体
２ａ、２ｂ　　　　　　　上前面板
２′ａ、２′ｂ　　　　　下前面板
４　　　　　　　　　　　舌片
５　　　　　　　　　　　補強フレーム
５ａ　　　　　　　　　　左右フレーム
５ｂ　　　　　　　　　　上下フレーム
６　　　　　　　　　　　連結フレーム
８　　　　　　　　　　　中間区画プレート
８ａ　　　　　　　　　　取手
１０ａ、１０ｂ　　　　　カバー部材
１２ａ　　　　　　　　　外側面板
１２ｂ　　　　　　　　　後面板
１２ｃ　　　　　　　　　内側面板
１４　　　　　　　　　　ダルマ孔
１５　　　　　　　　　　外側面板
１６　　　　　　　　　　後面板
１７　　　　　　　　　　弾性パッド
Ｂ　　　　　　　　　　　ビス
Ｂ１　　　　　　　　　　ネジ
Ｄ１、Ｄ２　　　　　　　扉本体
Ｈ　　　　　　　　　　　蝶番
Ｍ　　　　　　　　　　　盲部材
ＭＧ　　　　　　　　　　マグネット
【図１】
2004052419.tif 000003
【図２】
2004052419.tif 000004
【図３】
2004052419.tif 000005
【図４】
2004052419.tif 000006
【図５】
2004052419.tif 000007